(57)【要約】  基地局およびユーザ機器(UE)によって実行され得る、構成可能なニューラジオ(NR)リソーススケジューリングおよび指示送信手順が開示される。たとえば、基地局は、非スケジューリングデータの送信のために利用可能ないくつかの同期信号ブロックを決定し、いくつかの同期信号ブロックまたはいくつかの同期信号ブロックの各々の位置のうちの少なくとも1つを示す指示を送信し得る。さらに、UEは、いくつかの同期信号ブロックまたはいくつかの同期信号ブロックの各々の位置のうちの少なくとも1つを示す指示を受信し得る。UEは、非スケジューリングデータが送信のためにスケジュールされているいくつかの同期信号ブロックを形成する1つまたは複数のリソース要素をさらに決定し得る。UEは、いくつかの同期信号ブロックを形成する1つまたは複数のリソース要素内の非スケジューリングデータを受信し得る。
2020503806.tif 000002
【特許請求の範囲】
【請求項１】
ネットワークエンティティにおけるワイヤレス通信の方法であって、
非スケジューリングデータの送信のために利用可能ないくつかの同期信号ブロックを決定するステップと、
ダウンリンクチャネル上で、前記いくつかの同期信号ブロックまたは前記いくつかの同期信号ブロックの各々の位置のうちの少なくとも1つを示す指示を送信するステップと
を備える方法。
【請求項２】
前記指示が、ダウンリンク制御情報(DCI)に対応する、請求項1に記載の方法。
【請求項３】
前記非スケジューリングデータの送信のために利用可能な前記いくつかの同期信号ブロックの決定に基づいて、前記いくつかの同期信号ブロック内の前記非スケジューリングデータを送信するかどうかを決定するステップと、
前記いくつかの同期信号ブロックを形成する1つまたは複数のリソース要素内の前記非スケジューリングデータの送信をスケジュールするステップと、
前記いくつかの同期信号ブロックを示す前記DCIを構成するステップと
をさらに備える、請求項2に記載の方法。
【請求項４】
前記いくつかの同期信号ブロックが、無線リソース制御(RRC)レイヤにおいて決定される、請求項1に記載の方法。
【請求項５】
前記ダウンリンクチャネルが、物理ダウンリンク共有チャネル(PDSCH)または物理ダウンリンク制御チャネル(PDCCH)のうちの1つに対応する、請求項1に記載の方法。
【請求項６】
前記いくつかの同期信号ブロックが、
単一の同期信号ブロック、
2つ以上の連続する同期信号ブロック、または
2つ以上の連続しない同期信号ブロック
のうちの少なくとも1つに対応する、請求項1に記載の方法。
【請求項７】
前記いくつかの同期信号ブロックまたは前記いくつかの同期信号ブロックの各々の位置のうちの少なくとも1つを決定するステップが、前記いくつかの同期信号ブロックを形成する1つまたは複数のリソース要素が送信のために利用可能であると決定するステップを含む、請求項1に記載の方法。
【請求項８】
前記いくつかの同期信号ブロックを示す前記指示の送信の後に、前記いくつかの同期信号ブロック内の前記非スケジューリングデータを送信するステップをさらに備える、請求項1に記載の方法。
【請求項９】
前記いくつかの同期信号ブロックの各々が、長さが少なくとも4つのシンボルである、請求項1に記載の方法。
【請求項１０】
前記ネットワークエンティティがgノードBに対応する、請求項1に記載の方法。
【請求項１１】
ユーザ機器(UE)におけるワイヤレス通信の方法であって、
ダウンリンクチャネル上で、いくつかの同期信号ブロックまたは前記いくつかの同期信号ブロックの各々の位置のうちの少なくとも1つを示す指示を受信するステップと、
前記いくつかの同期信号ブロックまたは前記いくつかの同期信号ブロックの各々の前記位置のうちの少なくとも1つを示す前記指示を受信したことに応答して、非スケジューリングデータが送信のためにスケジュールされている前記いくつかの同期信号ブロックを形成する1つまたは複数のリソース要素を決定するステップと、
前記いくつかの同期信号ブロックを形成する前記1つまたは複数のリソース要素内の前記非スケジューリングデータを受信するステップと
を備える方法。
【請求項１２】
前記指示が、ダウンリンク制御情報(DCI)に対応する、請求項11に記載の方法。
【請求項１３】
前記いくつかの同期信号ブロックが、無線リソース制御(RRC)レイヤにおいて構成される、請求項11に記載の方法。
【請求項１４】
前記いくつかの同期信号ブロックが、
単一の同期信号ブロック、
2つ以上の連続する同期信号ブロック、または
2つ以上の連続しない同期信号ブロック
のうちの少なくとも1つに対応する、請求項11に記載の方法。
【請求項１５】
前記ダウンリンクチャネルが、物理ダウンリンク共有チャネル(PDSCH)または物理ダウンリンク制御チャネル(PDCCH)のうちの1つに対応する、請求項11に記載の方法。
【請求項１６】
ネットワークエンティティであって、
メモリと、
前記メモリと通信している少なくとも1つのプロセッサと
を備え、前記少なくとも1つのプロセッサが、
非スケジューリングデータの送信のために利用可能ないくつかの同期信号ブロックを決定し、
ダウンリンクチャネル上で、前記いくつかの同期信号ブロックまたは前記いくつかの同期信号ブロックの各々の位置のうちの少なくとも1つを示す指示を送信する
ように構成される、ネットワークエンティティ。
【請求項１７】
前記指示が、ダウンリンク制御情報(DCI)に対応する、請求項16に記載のネットワークエンティティ。
【請求項１８】
前記少なくとも1つのプロセッサが、
前記非スケジューリングデータの送信のために利用可能な前記いくつかの同期信号ブロックの決定に基づいて、前記いくつかの同期信号ブロック内の前記非スケジューリングデータを送信するかどうかを決定し、
前記いくつかの同期信号ブロックを形成する1つまたは複数のリソース要素内の前記非スケジューリングデータの送信をスケジュールし、
前記いくつかの同期信号ブロックを示す前記DCIを構成する
ようにさらに構成される、請求項17に記載のネットワークエンティティ。
【請求項１９】
前記いくつかの同期信号ブロックが、無線リソース制御(RRC)レイヤにおいて決定される、請求項16に記載のネットワークエンティティ。
【請求項２０】
前記ダウンリンクチャネルが、物理ダウンリンク共有チャネル(PDSCH)または物理ダウンリンク制御チャネル(PDCCH)のうちの1つに対応する、請求項16に記載のネットワークエンティティ。
【請求項２１】
前記いくつかの同期信号ブロックが、
単一の同期信号ブロック、
2つ以上の連続する同期信号ブロック、または
2つ以上の連続しない同期信号ブロック
のうちの少なくとも1つに対応する、請求項16に記載のネットワークエンティティ。
【請求項２２】
前記いくつかの同期信号ブロックまたは前記いくつかの同期信号ブロックの各々の位置のうちの少なくとも1つを決定するために、前記少なくとも1つのプロセッサが、前記いくつかの同期信号ブロックを形成する1つまたは複数のリソース要素が送信のために利用可能であると決定するようにさらに構成される、請求項16に記載のネットワークエンティティ。
【請求項２３】
前記少なくとも1つのプロセッサが、前記いくつかの同期信号ブロックを示す前記指示の送信の後に、前記いくつかの同期信号ブロック内の前記非スケジューリングデータを送信するようにさらに構成される、請求項16に記載のネットワークエンティティ。
【請求項２４】
前記いくつかの同期信号ブロックの各々が、長さが少なくとも4つのシンボルである、請求項16に記載のネットワークエンティティ。
【請求項２５】
gノードBに対応する、請求項16に記載のネットワークエンティティ。
【請求項２６】
ユーザ機器であって、
メモリと、
前記メモリと通信している少なくとも1つのプロセッサと
を備え、前記少なくとも1つのプロセッサが、
ダウンリンクチャネル上で、いくつかの同期信号ブロックまたは前記いくつかの同期信号ブロックの各々の位置のうちの少なくとも1つを示す指示を受信し、
前記いくつかの同期信号ブロックまたは前記いくつかの同期信号ブロックの各々の前記位置のうちの少なくとも1つを示す前記指示を受信したことに応答して、非スケジューリングデータが送信のためにスケジュールされている前記いくつかの同期信号ブロックを形成する1つまたは複数のリソース要素を決定し、
前記いくつかの同期信号ブロックを形成する前記1つまたは複数のリソース要素内の前記非スケジューリングデータを受信する
ように構成される、ユーザ機器。
【請求項２７】
前記指示が、ダウンリンク制御情報(DCI)に対応する、請求項26に記載のユーザ機器。
【請求項２８】
前記いくつかの同期信号ブロックが、無線リソース制御(RRC)レイヤにおいて構成される、請求項26に記載のユーザ機器。
【請求項２９】
前記いくつかの同期信号ブロックが、
単一の同期信号ブロック、
2つ以上の連続する同期信号ブロック、または
2つ以上の連続しない同期信号ブロック
のうちの少なくとも1つに対応する、請求項26に記載のユーザ機器。
【請求項３０】
前記ダウンリンクチャネルが、物理ダウンリンク共有チャネル(PDSCH)または物理ダウンリンク制御チャネル(PDCCH)のうちの1つに対応する、請求項26に記載のユーザ機器。
【発明の詳細な説明】
【技術分野】
【０００１】
関連出願の相互参照
本特許出願は、その全体が参照により本明細書に明確に組み込まれる、2018年1月9日に出願された「DOWNLINK CHANNEL RATE MATCHING OF SYNCHRONIZATION SIGNAL BLOCK TRANSMISSIONS IN A NEW RADIO WIRELESS COMMUNICATION SYSTEM」と題する米国非仮出願第15/865,733号、および2017年1月10日に出願された「DOWNLINK CHANNEL RATE MATCHING OF SYNCHRONIZATION SIGNAL BLOCK TRANSMISSIONS IN A NEW RADIO WIRELESS COMMUNICATION SYSTEM」と題する米国仮出願第62/444,618号の優先権を主張する。
【０００２】
本開示の態様は、一般にワイヤレス通信ネットワークに関し、より詳細には、ニューラジオ(NR)ワイヤレス通信システムにおける同期信号ブロック送信のダウンリンクチャネルレートマッチングに関する。
【背景技術】
【０００３】
ワイヤレス通信ネットワークは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって、複数のユーザとの通信をサポートすることが可能な、多元接続システムであり得る。そのような多元接続システムの例は、符号分割多元接続(CDMA)システム、時分割多元接続(TDMA)システム、周波数分割多元接続(FDMA)システム、直交周波数分割多元接続(OFDMA)システム、およびシングルキャリア周波数分割多元接続(SC-FDMA)システムを含む。
【０００４】
これらの多元接続技術は、異なるワイヤレスデバイスが都市、国家、地域、さらには地球規模で通信することを可能にする共通プロトコルを提供するために、様々な電気通信規格において採用されている。たとえば、(NRと呼ばれることがある)第5世代(5G)ワイヤレス通信技術は、現行のモバイルネットワーク世代に関する多様な使用シナリオおよびアプリケーションを拡張し、サポートするように想定されている。一態様では、5G通信技術は、マルチメディアコンテンツ、サービスおよびデータにアクセスするための人間中心の使用事例に対処する拡張モバイルブロードバンドと、レイテンシおよび信頼性についてのいくつかの仕様を有する超高信頼低レイテンシ通信(URLLC: ultra-reliable-low latency communications)と、非常に多数の被接続デバイスおよび比較的少量の遅延に影響されない情報の送信を可能にすることができるマッシブマシンタイプ通信とを含むことができる。しかしながら、モバイルブロードバンドアクセスに対する需要が増加し続けるにつれて、NR通信技術以降におけるさらなる改善が望まれ得る。
【０００５】
たとえば、NR通信技術以降の場合、従来のダウンリンクチャネルレートマッチング解決策は、効率的なネットワーク動作のための所望のレベルの速度またはカスタマイズを提供しないことがある。したがって、ワイヤレス通信動作における改善が望まれ得る。
【発明の概要】
【課題を解決するための手段】
【０００６】
以下で、1つまたは複数の態様の基本的理解を与えるために、そのような態様の簡略化された概要を提示する。この概要は、すべての企図される態様の包括的な概説ではなく、すべての態様の主要または重要な要素を識別するものでもなく、いずれかまたはすべての態様の範囲を定めるものでもない。その唯一の目的は、後で提示するより詳細な説明の前置きとして、1つまたは複数の態様のいくつかの概念を簡略化された形で提示することである。
【０００７】
一態様では、本開示は、ネットワークエンティティにおけるワイヤレス通信のための方法を含む。方法は、非スケジューリングデータの送信のために利用可能ないくつかの同期信号ブロックを決定するステップを含み得る。方法は、ダウンリンクチャネル上で、いくつかの同期信号ブロックまたはいくつかの同期信号ブロックの各々の位置のうちの少なくとも1つを示す指示を送信するステップをさらに含み得る。
【０００８】
別の態様では、ネットワークエンティティは、メモリと、メモリと通信している少なくとも1つのプロセッサとを備える。少なくとも1つのプロセッサは、非スケジューリングデータの送信のために利用可能ないくつかの同期信号ブロックを決定するように構成され得る。少なくとも1つのプロセッサは、ダウンリンクチャネル上で、いくつかの同期信号ブロックまたはいくつかの同期信号ブロックの各々の位置のうちの少なくとも1つを示す指示を送信するようにさらに構成され得る。
【０００９】
追加の態様では、ワイヤレス通信のためのネットワークエンティティは、非スケジューリングデータの送信のために利用可能ないくつかの同期信号ブロックを決定するための手段を含み得る。ネットワークエンティティは、ダウンリンクチャネル上で、いくつかの同期信号ブロックまたはいくつかの同期信号ブロックの各々の位置のうちの少なくとも1つを示す指示を送信するための手段をさらに含み得る。
【００１０】
また別の態様では、ネットワークエンティティにおけるワイヤレス通信のためのプロセッサによって実行可能なコンピュータコードを記憶するコンピュータ可読媒体は、非スケジューリングデータの送信のために利用可能ないくつかの同期信号ブロックを決定するためのコードを含み得る。コンピュータ可読媒体は、ダウンリンクチャネル上で、いくつかの同期信号ブロックまたはいくつかの同期信号ブロックの各々の位置のうちの少なくとも1つを示す指示を送信するためのコードをさらに含み得る。
【００１１】
一態様では、本開示は、ユーザ機器(UE)におけるワイヤレス通信のための方法を含む。方法は、ダウンリンクチャネル上で、いくつかの同期信号ブロックまたはいくつかの同期信号ブロックの各々の位置のうちの少なくとも1つを示す指示を受信するステップを含み得る。方法は、いくつかの同期信号ブロックの位置またはいくつかの同期信号ブロックのうちの少なくとも1つを示す指示を受信したことに応答して、非スケジューリングデータが送信のためにスケジュールされているいくつかの同期信号ブロックを形成する1つまたは複数のリソース要素を決定するステップをさらに含み得る。さらに、方法は、いくつかの同期信号ブロックを形成する1つまたは複数のリソース要素内の非スケジューリングデータを受信するステップを含み得る。
【００１２】
別の態様では、UEは、メモリと、メモリと通信している少なくとも1つのプロセッサとを備える。少なくとも1つのプロセッサは、ダウンリンクチャネル上で、いくつかの同期信号ブロックまたはいくつかの同期信号ブロックの各々の位置のうちの少なくとも1つを示す指示を受信するように構成され得る。少なくとも1つのプロセッサは、いくつかの同期信号ブロックの位置またはいくつかの同期信号ブロックのうちの少なくとも1つを示す指示を受信したことに応答して、非スケジューリングデータが送信のためにスケジュールされているいくつかの同期信号ブロックを形成する1つまたは複数のリソース要素を決定するようにさらに構成され得る。少なくとも1つのプロセッサは、いくつかの同期信号ブロックを形成する1つまたは複数のリソース要素内の非スケジューリングデータを受信するようにさらに構成され得る。
【００１３】
追加の態様では、UEは、ダウンリンクチャネル上で、いくつかの同期信号ブロックまたはいくつかの同期信号ブロックの各々の位置のうちの少なくとも1つを示す指示を受信するための手段を含み得る。UEは、いくつかの同期信号ブロックの位置またはいくつかの同期信号ブロックのうちの少なくとも1つを示す指示を受信したことに応答して、非スケジューリングデータが送信のためにスケジュールされているいくつかの同期信号ブロックを形成する1つまたは複数のリソース要素を決定するための手段をさらに含み得る。UEは、いくつかの同期信号ブロックを形成する1つまたは複数のリソース要素内の非スケジューリングデータを受信するための手段をさらに含み得る。
【００１４】
また別の態様では、UEにおけるワイヤレス通信のためのプロセッサによって実行可能なコンピュータコードを記憶するコンピュータ可読媒体は、ダウンリンクチャネル上で、いくつかの同期信号ブロックまたはいくつかの同期信号ブロックの各々の位置のうちの少なくとも1つを示す指示を受信するためのコードを含み得る。コンピュータ可読媒体は、いくつかの同期信号ブロックの位置またはいくつかの同期信号ブロックのうちの少なくとも1つを示す指示を受信したことに応答して、非スケジューリングデータが送信のためにスケジュールされているいくつかの同期信号ブロックを形成する1つまたは複数のリソース要素を決定するためのコードをさらに含み得る。コンピュータ可読媒体は、いくつかの同期信号ブロックを形成する1つまたは複数のリソース要素内の非スケジューリングデータを受信するためのコードをさらに含み得る。
【００１５】
上記の目的および関係する目的を達成するために、1つまたは複数の態様は、以下で十分に説明し、特に特許請求の範囲で指摘する特徴を備える。以下の説明および添付の図面は、1つまたは複数の態様のいくつかの例示的な特徴を詳細に記載する。しかしながら、これらの特徴は、様々な態様の原理が採用され得る様々な方法のほんのいくつかを示すものであり、この説明は、すべてのそのような態様およびそれらの均等物を含むものである。
【００１６】
開示する態様について、開示する態様を限定するためではなく例示するために提供される添付の図面に関して以下で説明し、同様の名称は同様の要素を示している。
【図面の簡単な説明】
【００１７】
【図１】いくつかの同期信号ブロックを示す指示を送信するように構成された指示送信構成要素を有する少なくとも1つのネットワークエンティティ(たとえば、基地局)と、いくつかの同期信号ブロックを形成する1つまたは複数のリソース要素を決定するように構成されたリソース識別構成要素を有する少なくとも1つのユーザ機器(UE)とを含む、ワイヤレス通信ネットワークの概略図である。
【図２】例示的な同期信号ブロックの概念図である。
【図３】ネットワークエンティティにおけるワイヤレス通信の方法の一例の流れ図である。
【図４】UEにおけるワイヤレス通信の方法の一例の流れ図である。
【図５】図1のUEの例示的な構成要素の概略図である。
【図６】図1の基地局の例示的な構成要素の概略図である。
【発明を実施するための形態】
【００１８】
次に、図面を参照しながら様々な態様について説明する。以下の説明では、説明の目的で、1つまたは複数の態様の完全な理解を与えるために、多数の具体的な詳細が記載されている。しかしながら、そのような態様がこれらの具体的な詳細なしに実践され得ることは明らかであろう。加えて、本明細書で使用する「構成要素」という用語は、システムを構成する部品の1つであってもよく、ハードウェア、ファームウェア、および/またはコンピュータ可読媒体上に記憶されるソフトウェアであってもよく、他の構成要素に分割されてもよい。
【００１９】
本開示は、一般に、ニューラジオワイヤレス通信システムにおける同期信号ブロック送信のダウンリンクチャネルレートマッチングに関する。たとえば、ネットワーク(たとえば、基地局などのネットワークエンティティ)は、限定はしないが、時間同期および/もしくは周波数同期ならびに/またはセル識別子/識別情報検出などの1つまたは複数の通信手順をサポートするかまたはさもなければ可能にするために、同期信号ブロックをユーザ機器(UE)に周期的に送信し得る。さらに、たとえば、物理ダウンリンク制御チャネル(PDCCH)および/または物理ダウンリンク共有チャネル(PDSCH)によって配信または送信される最小システム情報を取得するためのシステム情報(たとえば、マスタ情報ブロック(MIB))をUEに提供するために、ブロードキャスト情報も物理ブロードキャストチャネル(PBCH)上で周期的に送信され得る。加えて、ニューラジオ(NR)ワイヤレス通信システムでは、エアインターフェースは、シングルビーム構成および/またはマルチビーム構成のための統一された同期/PBCH設計を対象にし得る。
【００２０】
NRワイヤレス通信システムにおける同期および/またはPBCHのためのシングルビーム構成および/またはマルチビーム構成に適応するために、同期信号ブロックは、ビームおよび(たとえば、ハイブリッド自動再送要求(HARQ)などのパケット再送信の一部としての)冗長バージョンを含む再送信ごとに送信され得る。たとえば、そのようなシステムでは、ビーム掃引は、狭いビームで広いエリアをカバーするために使用され得る。いくつかの態様では、シングルビームフォーミングまたはマルチビームフォーミングは、送信された/受信された信号の強め合う重畳を実現するために、各アンテナの位相を構成し得る。加えて、冗長バージョン再送信は、リンクバジェット(たとえば、ニューラジオ通信システムにおける送信機から媒体を通って受信機までの利得および損失のすべての勘定)を拡大するために使用され得る。LTEに関するいくつかの態様では、少なくとも4つの冗長バージョンが提供され得る。いくつかの態様では、冗長バージョンは、符号化のためのコードワードに加えられる冗長の量をデバイスに通知し得る。さらに、ビームの数は、ネットワーク実装形態に固有であり得る。
【００２１】
しかしながら、いくつかの態様では、ネットワークは、基地局において利用可能な有限個のビームのせいで、すべての潜在的な同期信号ブロック位置を利用しないことがある。さらに、たとえば、ネットワークは、少なくとも1つのダウンリンクおよび/またはアップリンク制御領域との競合を回避するために、いくつかの同期信号ブロック位置を使用しないことがある。したがって、ダウンリンク上で利用可能なリソースを効率的に利用するために、ネットワークは、1つもしくは複数の同期信号ブロックをダウンリンクチャネル(たとえば、PDSCH)で多重化するおよび/または(たとえば、PDSCH上の)データ送信のための少なくとも1つの同期信号ブロックからのもしくはそれに対応する未使用のもしくは利用可能なリソース要素を利用することができる。
【００２２】
具体的には、一態様では、本態様は、ダウンリンク制御インジケータ/情報(DCI)を使用してまたはその一部として、同期信号ブロック送信に対するPDSCHレートマッチングを提供し得る。たとえば、ネットワークは、PDSCH上のデータ送信のために少なくとも1つの同期信号ブロックからの未使用のまたは利用可能なリソース要素を利用するかどうかを決定し得る。別の例では、本態様は、同期信号ブロック送信に対するPDCCHレートマッチングおよび/または制御リソース送信を提供し得る。詳細には、ネットワークは、ダウンリンク制御領域(たとえば、PDCCH)上のデータ送信のために少なくとも1つの同期信号ブロックからのリソース要素を利用するかどうかを決定し得る。ネットワークは、未使用のまたは利用可能なリソース要素を利用するという決定に基づいて、非スケジューリングデータを含む同期信号ブロックを形成するリソース要素を示すために、DCIに対応するかまたはさもなければDCIを含む指示をUEに送信し、それによってレートマッチングを提供し得る。
【００２３】
さらに、PDSCH上の送信に関するいくつかの態様では、DCIは、スロットアグリゲーションおよび/または電力節約モードの場合、現在のスロットのレートマッチングおよび/または将来のスロットのレートマッチングを有し得る。PDCCH上の送信に関するいくつかの態様では、DCIは、PDCCHのための将来のスロットのレートマッチングを有し得、上位レイヤシグナリングは、PDCCHレートマッチングと、制御リソースのスキップ/省略とを示し得る。
【００２４】
本態様の追加の特徴は、図1〜図6に関して以下でより詳細に説明される。
【００２５】
本明細書で説明する技法は、CDMA、TDMA、FDMA、OFDMA、SC-FDMA、および他のシステムなどの様々なワイヤレス通信ネットワークに使用され得ることに留意されたい。「システム」および「ネットワーク」という用語は、しばしば互換的に使用される。CDMAシステムは、CDMA2000、ユニバーサル地上波無線アクセス(UTRA)などの無線技術を実装し得る。CDMA2000は、IS-2000規格、IS-95規格、およびIS-856規格をカバーする。IS-2000リリース0およびAは、一般に、CDMA2000 1X、1Xなどと呼ばれる。IS-856(TIA-856)は、一般に、CDMA2000 1xEV-DO、高速パケットデータ(HRPD)などと呼ばれる。UTRAは、広帯域CDMA(WCDMA(登録商標))およびCDMAの他の変形態を含む。TDMAシステムは、モバイル通信用グローバルシステム(GSM(登録商標))などの無線技術を実装し得る。OFDMAシステムは、ウルトラモバイルブロードバンド(UMB)、発展型UTRA(E-UTRA)、IEEE802.11(Wi-Fi)、IEEE802.16(WiMAX)、IEEE802.20、Flash-OFDM(商標)などの無線技術を実装し得る。UTRAおよびE-UTRAは、ユニバーサルモバイルテレコミュニケーションシステム(UMTS)の一部である。3GPPロングタームエボリューション(LTE)およびLTEアドバンスト(LTE-A)は、E-UTRAを使用するUMTSの新しいリリースである。UTRA、E-UTRA、UMTS、LTE、LTE-A、およびGSM(登録商標)は、「第3世代パートナーシッププロジェクト」(3GPP)と称する組織からの文書に記載されている。CDMA2000およびUMBは、「第3世代パートナーシッププロジェクト2」(3GPP2)と称する組織からの文書に記載されている。本明細書で説明する技法は、上述のシステムおよび無線技術、ならびに共有無線周波数スペクトル帯域を介したセルラー(たとえば、LTE)通信を含む、他のシステムおよび無線技術に使用され得る。しかしながら、以下の説明は、例としてLTE/LTE-Aシステムについて説明し、以下の説明の大半においてLTE用語が使用されるが、本技法は、LTE/LTE-A適用例以外に(たとえば、5Gネットワークまたは他の次世代通信システムに)適用可能である。
【００２６】
以下の説明は例を提供するものであり、特許請求の範囲に記載される範囲、適用可能性、または例を限定するものではない。本開示の範囲から逸脱することなく、説明する要素の機能および構成に変更が加えられてもよい。様々な例は、適宜に、様々な手順または構成要素を省略し、置換し、または追加することがある。たとえば、説明する方法は、説明する順序とは異なる順序で実行されてもよく、様々なステップが追加され、省略され、または組み合わされることがある。また、いくつかの例に関して説明する特徴は、他の例において組み合わされることがある。
【００２７】
図1を参照すると、本開示の様々な態様によれば、例示的なワイヤレス通信ネットワーク100は、非スケジューリングデータが送信のためにスケジュールされているいくつかの同期信号ブロック176を形成する1つまたは複数のリソース要素を決定するリソース識別構成要素150を有するモデム140を備える少なくとも1つのUE110を含む。さらに、ワイヤレス通信ネットワーク100は、位置および/またはいくつかの同期信号ブロック176を示す指示174(たとえば、DCI)をUE110に送信する指示送信構成要素170を有するモデム160を備える少なくとも1つの基地局105を含む。したがって、本開示によれば、基地局105は、非スケジューリングデータの送信のための同期信号ブロックを形成するまたは同期信号ブロックに対応する未使用のまたは利用可能なリソース要素を決定し、利用し得る。しかしながら、レートマッチングを容易にするために、基地局、より詳細には、指示送信構成要素170は、リソーススケジューラ172を介して、データ(たとえば、非スケジューリング)送信に利用される位置および/またはいくつかの同期信号ブロック176を示す指示174を構成し得る。いくつかの態様では、指示174は、DCIに対応するかまたはさもなければDCIに含まれてもよく、リソーススケジューラ172は、送信ごとのいくつかの同期信号ブロック176が変化するたびにDCIを動的に構成し得る。たとえば、いくつかの同期信号ブロック176は、単一の同期信号ブロック、2つ以上の連続する同期信号ブロック、または2つ以上の連続しない同期信号ブロックのうちの1つであり得る。さらに、(非同期信号ブロックのリソースがスケジュールされ、DCIにおいて示されるときと比較して)いくつかの同期信号ブロック176がDCI内でまたはDCIの一部として示される態様では、様々なDCIフィールドは、UE110がDCIフィールドに基づいていくつかの同期信号ブロック176を決定し得るように構成され得る。さらに、いくつかの態様では、いくつかの同期信号ブロック176は、無線リソース制御(RRC)レイヤによってまたは無線リソース制御(RRC)レイヤにおいて構成され、半静的にUE110に送信され得る。次に、UE110、より詳細には、リソース識別構成要素150は、ダウンリンクチャネル(たとえば、PDSCHまたはPDCCH)上の送信のために基地局105によって利用されるいくつかの同期信号ブロック176を決定するために、基地局105から指示174を受信するように構成され得る。次いで、UE110は、最初は同期シグナリングのために割り振られたが、非スケジューリングデータの送信のために基地局105によって使用されるリソース要素上で、非スケジューリングデータを受信し得る。
【００２８】
ワイヤレス通信ネットワーク100は、1つまたは複数の基地局105と、1つまたは複数のUE110と、コアネットワーク115とを含み得る。コアネットワーク115は、ユーザ認証、アクセス許可、トラッキング、インターネットプロトコル(IP)接続性、および他のアクセス機能、ルーティング機能、またはモビリティ機能を提供し得る。基地局105は、バックホールリンク120(たとえば、S1など)を通じてコアネットワーク115とインターフェースし得る。基地局105は、UE110との通信のための無線構成およびスケジューリングを実行し得るか、または基地局コントローラ(図示せず)の制御下で動作し得る。様々な例では、基地局105は、ワイヤード通信リンクまたはワイヤレス通信リンクであり得るバックホールリンク125(たとえば、X1など)を介して、直接的または間接的に(たとえば、コアネットワーク115を通じて)のいずれかで、互いと通信し得る。
【００２９】
基地局105は、1つまたは複数の基地局アンテナを介してUE110とワイヤレス通信し得る。基地局105の各々は、それぞれの地理的カバレージエリア130に通信カバレージを提供し得る。いくつかの例では、基地局105は、基地トランシーバ局、無線基地局、アクセスポイント、アクセスノード、無線トランシーバ、ノードB、eノードB(eNB)、gノードB(gNB: gNodeB)、ホームノードB、ホームeノードB、リレー、または何らかの他の適切な用語で呼ばれることがある。基地局105のための地理的カバレージエリア130は、カバレージエリアの一部分のみを構成するセクタまたはセル(図示せず)に分割され得る。ワイヤレス通信ネットワーク100は、異なるタイプの基地局105(たとえば、以下で説明するマクロ基地局またはスモールセル基地局)を含み得る。加えて、複数の基地局105は、複数の通信技術(たとえば、5G(ニューラジオまたは「NR」)、第4世代(4G)/LTE、3G、Wi-Fi、Bluetooth(登録商標)など)のうちの異なる通信技術に従って動作することがあり、したがって、異なる通信技術のための重複する地理的カバレージエリア130があり得る。
【００３０】
いくつかの例では、ワイヤレス通信ネットワーク100は、ニューラジオ(NR)もしくは5G技術、ロングタームエボリューション(LTE)もしくはLTEアドバンスト(LTE-A)もしくはMuLTEfire技術、Wi-Fi技術、Bluetooth(登録商標)技術、または任意の他の長距離もしくは短距離ワイヤレス通信技術を含む通信技術のうちの1つまたは任意の組合せであり得るか、またはそれらを含み得る。LTE/LTE-A/MuLTEfireネットワークでは、発展型ノードB(eNB)という用語は、一般に基地局105を表すために使用され得るが、UEという用語は、一般にUE110を表すために使用され得る。ワイヤレス通信ネットワーク100は、異なるタイプのeNBが様々な地理的領域にカバレージを提供する、異種技術ネットワークであり得る。たとえば、各eNBまたは基地局105は、マクロセル、スモールセル、または他のタイプのセルに通信カバレージを提供し得る。「セル」という用語は、文脈に応じて、基地局、基地局に関連付けられたキャリアもしくはコンポーネントキャリア、またはキャリアもしくは基地局のカバレージエリア(たとえば、セクタなど)を表すために使用され得る3GPP用語である。
【００３１】
マクロセルは、一般に、比較的大きい地理的エリア(たとえば、半径数キロメートル)をカバーすることができ、ネットワークプロバイダのサービスに加入しているUE110による無制限アクセスを可能にし得る。
【００３２】
スモールセルは、マクロセルと比較して、マクロセルと同じまたはマクロセルとは異なる周波数帯域(たとえば、認可、無認可など)で動作し得る、送信電力が比較的低い基地局を含み得る。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE110による無制限アクセスを可能にし得る。フェムトセルも、小さい地理的エリア(たとえば、自宅)をカバーすることができ、フェムトセルとの関連付けを有するUE110(たとえば、制限付きアクセスの場合、自宅内のユーザのためのUE110を含み得る、基地局105の限定加入者グループ(CSG)内のUE110など)による制限付きアクセスおよび/または無制限アクセスを提供し得る。マイクロセルは、ピコセルおよびフェムトセルよりも大きいが、マクロセルよりも小さい地理的エリアをカバーすることができる。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数(たとえば、2つ、3つ、4つなど)のセル(たとえば、コンポーネントキャリア)をサポートし得る。
【００３３】
様々な開示する例のうちのいくつかに適応し得る通信ネットワークは、階層化プロトコルスタックに従って動作するパケットベースネットワークであることがあり、ユーザプレーンにおけるデータは、IPに基づき得る。ユーザプレーンプロトコルスタック(たとえば、パケットデータコンバージェンスプロトコル(PDCP)、無線リンク制御(RLC)、MACなど)は、論理チャネルを介して通信するためにパケットセグメンテーションおよびリアセンブリを実行し得る。たとえば、MACレイヤは、優先処理と、トランスポートチャネルへの論理チャネルの多重化とを実行し得る。MACレイヤはまた、MACレイヤにおける再送信を行ってリンク効率を改善するために、ハイブリッド自動再送/要求(HARQ)を使用し得る。制御プレーンでは、RRCプロトコルレイヤは、UE110と基地局105との間のRRC接続の確立、構成、および維持を提供し得る。RRCプロトコルレイヤはまた、ユーザプレーンデータのための無線ベアラのコアネットワーク115サポートに使用され得る。物理(PHY)レイヤにおいて、トランスポートチャネルは物理チャネルにマッピングされ得る。
【００３４】
UE110は、ワイヤレス通信ネットワーク100全体にわたって分散される場合があり、各UE110は、固定またはモバイルであり得る。UE110はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含んでもよく、またはそのように当業者によって呼ばれることがある。UE110は、セルラーフォン、スマートフォン、携帯情報端末(PDA)、ワイヤレスモデム、ワイヤレス通信デバイス、ハンドヘルドデバイス、タブレットコンピュータ、ラップトップコンピュータ、コードレスフォン、スマートウォッチ、ワイヤレスローカルループ(WLL)局、エンターテインメントデバイス、車両構成要素、顧客構内機器(CPE)、またはワイヤレス通信ネットワーク100内で通信することが可能な任意のデバイスであってもよい。加えて、UE110は、モノのインターネット(IoT)および/またはマシンツーマシン(M2M)タイプのデバイス、たとえば、いくつかの態様では、ワイヤレス通信ネットワーク100または他のUEとまれに通信し得る(たとえば、ワイヤレスフォンと比較して)低電力、低データレートタイプのデバイスであってもよい。UE110は、マクロeNB、スモールセルeNB、マクロgNB、スモールセルgNB、中継基地局などを含む、様々なタイプの基地局105およびネットワーク機器と通信することが可能であり得る。
【００３５】
UE110は、1つまたは複数の基地局105との1つまたは複数のワイヤレス通信リンク135を確立するように構成され得る。ワイヤレス通信ネットワーク100内に示されているワイヤレス通信リンク135は、UE110から基地局105へのアップリンク(UL)送信、または基地局105からUE110へのダウンリンク(DL)送信を搬送し得る。ダウンリンク送信は、順方向リンク送信と呼ばれることもあり、アップリンク送信は、逆方向リンク送信と呼ばれることもある。各ワイヤレス通信リンク135は、1つまたは複数のキャリアを含むことがあり、各キャリアは、上記で説明した様々な無線技術に従って変調された複数のサブキャリア(たとえば、異なる周波数の波形信号)からなる信号であり得る。各被変調信号は、異なるサブキャリア上で送られてもよく、制御情報(たとえば、基準信号、制御チャネルなど)、オーバーヘッド情報、ユーザデータなどを搬送し得る。一態様では、ワイヤレス通信リンク135は、(たとえば、対スペクトルリソースを使用する)周波数分割複信(FDD)動作または(たとえば、不対スペクトルリソースを使用する)時分割複信(TDD)動作を使用して双方向通信を送信し得る。FDD(たとえば、フレーム構造タイプ1)およびTDD(たとえば、フレーム構造タイプ2)のためのフレーム構造が定義され得る。さらに、いくつかの態様では、ワイヤレス通信リンク135は、1つまたは複数のブロードキャストチャネルを表し得る。
【００３６】
ワイヤレス通信ネットワーク100のいくつかの態様では、基地局105またはUE110は、アンテナダイバーシティ方式を採用して基地局105とUE110との間の通信品質および信頼性を改善するための複数のアンテナを含み得る。追加または代替として、基地局105またはUE110は、同じまたは異なるコード化データを搬送する複数の空間レイヤを送信するためにマルチパス環境を利用し得る、多入力多出力(MIMO)技法を採用し得る。
【００３７】
ワイヤレス通信ネットワーク100は、複数のセルまたはキャリア上での動作、すなわち、キャリアアグリゲーション(CA)またはマルチキャリア動作と呼ばれることがある特徴をサポートし得る。キャリアは、コンポーネントキャリア(CC)、レイヤ、チャネルなどと呼ばれることもある。「キャリア」、「コンポーネントキャリア」、「セル」、および「チャネル」という用語は、本明細書では互換的に使用されることがある。UE110は、キャリアアグリゲーションのために、複数のダウンリンクCCおよび1つまたは複数のアップリンクCCを用いて構成され得る。キャリアアグリゲーションは、FDDコンポーネントキャリアとTDDコンポーネントキャリアの両方を用いて使用され得る。基地局105およびUE110は、各方向における送信に使用される合計YxMHz(x=コンポーネントキャリアの数)までのキャリアアグリゲーションにおいて割り振られた、キャリア当たりYMHz(たとえば、Y=5、10、15、または20MHz)帯域幅までのスペクトルを使用し得る。キャリアは、互いに隣接することも、隣接しないこともある。キャリアの割振りは、DLおよびULに対して非対称であることがある(たとえば、DLに対して、ULよりも多数または少数のキャリアが割り振られることがある)。コンポーネントキャリアは、1次コンポーネントキャリアと、1つまたは複数の2次コンポーネントキャリアとを含み得る。1次コンポーネントキャリアは1次セル(PCell)と呼ばれることがあり、2次コンポーネントキャリアは2次セル(SCell)と呼ばれることがある。
【００３８】
ワイヤレス通信ネットワーク100は、無認可周波数スペクトル(たとえば、5GHz)における通信リンクを介して、Wi-Fi技術に従って動作するUE110、たとえば、Wi-Fi局(STA)と通信している、Wi-Fi技術に従って動作する基地局105、たとえば、Wi-Fiアクセスポイントをさらに含み得る。無認可周波数スペクトルにおいて通信するとき、STAおよびAPは、チャネルが利用可能であるかどうかを決定するために、通信する前にクリアチャネルアセスメント(CCA)またはリッスンビフォアトーク(LBT)手順を実行し得る。
【００３９】
加えて、基地局105および/またはUE110のうちの1つまたは複数は、ミリ波(mmWまたはmmwave)技術と呼ばれるNRまたは5G技術に従って動作し得る。たとえば、mmW技術は、mmW周波数および/または準mmW周波数における送信を含む。極高周波(EHF)は、電磁スペクトルにおける無線周波数(RF)の一部である。EHFは、30GHz〜300GHzの範囲および1ミリメートルから10ミリメートルの間の波長を有する。この帯域における電波は、ミリ波と呼ばれることがある。準mmWは、100ミリメートルの波長を有し、3GHzの周波数まで及ぶことがある。たとえば、超高周波(SHF)帯域は、3GHzから30GHzの間に及び、センチメートル波と呼ばれることもある。mmWおよび/または準mmW無線周波数帯域を使用する通信は、極めて高い経路損失および短距離を有する。したがって、mmW技術に従って動作する基地局105および/またはUE110は、極めて高い経路損失および短距離を補償するために、その送信においてビームフォーミングを利用し得る。
【００４０】
図2を参照すると、例示的な同期信号ブロック202の概念図200。同期信号ブロック202の構造は、いくつかの同期信号ブロック176(図1)に適用されるかまたはさもなければいくつかの同期信号ブロック176(図1)を形成することができる。具体的には、同期信号ブロック202は、1つまたは複数の別個の同期信号を組み込むかまたは含む、統一された構造であってもよい。たとえば、同期信号ブロック202は、長さが4つのシンボルであってもよく、シンボル長212は、同期信号ブロック202を形成する単一のシンボルを表す。いくつかの態様では、同期信号ブロック202は、物理ブロードキャストチャネル(PBCH)情報204および210のための2つのシンボルと、(たとえば、サブフレームレベルの同期を可能にするための)1次同期信号(PSS)206のための1つのシンボルと、(たとえば、セル識別情報を取得するために使用される)2次同期信号(SSS)208のための1つのシンボルとを含み得る。PBCH情報204および210は、マスタ情報ブロック(MIB)に対応するデータを搬送するかまたは含むことができる。PBCH情報204および210は、PBCH上で送信され得、PBCHは、いくつかの態様では、様々なアクセスパラメータをブロードキャストし得る。さらに、いくつかの態様では、PSS206およびSSS208はそれぞれ、無線フレーム同期に使用される物理レイヤ指示であり得る。
【００４１】
さらに、PBCHのための復調リソースは、PBCH204および210の一部として含まれ得る。したがって、PSS206、SSS208、PBCH204および210の単一のセットは、同期信号ブロック202を形成し得る。いくつかの態様では、同期信号ブロック202は、ビームおよび/または冗長バージョンごとに送信され得る。いくつかの態様では、同期信号ブロック202は、PBCH204および/または210の代わりに、あるいはPBCH204および/または210に加えて、基準信号測定値(たとえば、ビーム固有の測定値についての基準信号受信電力(RSRP)および/または基準信号受信品質(RSRQ))も含み得る。
【００４２】
図3を参照すると、たとえば、ニューラジオ環境における同期信号ブロック送信にダウンリンクチャネル上のレートマッチングを提供するための上記で説明した態様による、基地局105(たとえば、gノードB)などのネットワークエンティティを動作させる際のワイヤレス通信の方法300は、本明細書で定義するアクションのうちの1つまたは複数を含む。破線を有するものとして示されるブロックは、任意選択であってもよい。
【００４３】
ブロック302において、方法300は、非スケジューリングデータの送信のために利用可能ないくつかの同期信号ブロックを決定し得る。たとえば、一態様では、基地局105は、UE110への非スケジューリングデータの送信のために利用可能ないくつかの同期信号ブロック176を決定するために、指示送信構成要素170を実行し得る。
【００４４】
いくつかの態様では、いくつかの同期信号ブロックは、RRCレイヤにおいて決定され得る。さらに、いくつかの態様では、いくつかの同期信号ブロック176は、単一の同期信号ブロック、2つ以上の連続する同期信号ブロック、または2つ以上の連続しない同期信号ブロックのうちの少なくとも1つに対応し得る。加えて、いくつかの態様では、非スケジューリングデータの送信のために利用可能ないくつかの同期信号ブロック176を決定することは、いくつかの同期信号ブロック176を形成する1つまたは複数のリソース要素が送信のために利用可能であると決定することを含む。
【００４５】
ブロック304において、方法300は、いくつかの同期信号ブロック内の非スケジューリングデータを送信することを決定し得る。たとえば、一態様では、基地局105は、いくつかの同期信号ブロック176が非スケジューリングデータの送信のために利用可能であるとの決定に基づいて、いくつかの同期信号ブロック176を形成する1つまたは複数のリソース要素内の非スケジューリングデータを送信するかどうかを決定するために、指示送信構成要素170を実行し得る。
【００４６】
ブロック306において、方法300は、いくつかの同期信号ブロックを形成する1つまたは複数のリソース要素内の非スケジューリングデータの送信をスケジュールし得る。たとえば、一態様では、基地局105は、いくつかの同期信号ブロック176を形成する1つまたは複数のリソース要素内の非スケジューリングデータの送信をスケジュールするために、指示送信構成要素170を実行し、リソーススケジューラ172を実行し得る。いくつかの態様では、1つまたは複数のリソース要素はそれぞれ、1つまたは複数のシンボルから形成された送信スロットおよび/またはサブフレーム(もしくはフレーム構造)内の対応する位置に関連付けられる。すなわち、いくつかの同期信号ブロック176の各々の位置は、フレームまたはサブフレーム送信構造内のシンボル位置に対応し得る。
【００４７】
ブロック308において、方法300は、いくつかの同期信号ブロックまたはいくつかの同期信号ブロックの各々の位置のうちの少なくとも1つを示す指示を構成し得る。たとえば、一態様では、基地局105および/または指示送信構成要素170は、いくつかの同期信号ブロック176またはいくつかの同期信号ブロック176の各々の位置のうちの少なくとも1つを示すかまたはさもなければ含む指示174を構成するために、リソーススケジューラ172を実行し得る。いくつかの態様では、指示174は、DCIに対応し得る。
【００４８】
ブロック310において、方法300は、ダウンリンクチャネル上で、いくつかの同期信号ブロックまたはいくつかの同期信号ブロックの各々の位置を示す指示を送信し得る。たとえば、一態様では、基地局105は、ダウンリンクチャネル上で、いくつかの同期信号ブロック176またはいくつかの同期信号ブロック176の各々の位置を示す指示174をUE110に送信するために、トランシーバ602(図6)を実行し得る。いくつかの態様では、ダウンリンクチャネルは、PDSCHまたはPDCCHに対応し得る。いくつかの態様では、送信は、PDSCHのための復調基準信号(DMRS)またはPDCCHのための制御基準信号(RS)に対応し得る。
【００４９】
ブロック312において、方法300は、いくつかの同期信号ブロック内の非スケジューリングデータを送信し得る。たとえば、一態様では、基地局105は、いくつかの同期信号ブロック176を示す指示174の送信の後に、いくつかの同期信号ブロック176内の非スケジューリングデータをUE110に送信するために、トランシーバ602を実行し得る。いくつかの態様では、非スケジューリングデータの一部分は、いくつかの同期信号ブロック176および/または他のデータ領域に対応する未使用のリソース要素にわたって送信され得る。
【００５０】
図4を参照すると、たとえば、データ送信のためにスケジュールされた同期信号ブロックを形成するリソース要素を識別するための上記で説明した態様による、UE110を動作させる際のワイヤレス通信の方法400は、本明細書で定義するアクションのうちの1つまたは複数を含む。破線を有するものとして示されるブロックは、任意選択であってもよい。
【００５１】
ブロック402において、方法400は、ダウンリンクチャネル上で、いくつかの同期信号ブロックまたはいくつかの同期信号ブロックの各々の位置のうちの少なくとも1つを示す指示を受信し得る。たとえば、UE110は、ダウンリンクチャネル上で、いくつかの同期信号ブロック176またはいくつかの同期信号ブロック176の各々の位置のうちの少なくとも1つを示す指示174を受信するために、トランシーバ502(図5)を実行し得る。いくつかの態様では、指示174は、DCIであるかまたはDCIに対応し得る。加えて、いくつかの態様では、ダウンリンクチャネルは、PDSCHまたはPDCCHに対応し得る。いくつかの態様では、送信は、PDSCHのためのDMRSまたはPDCCHのための制御RSに対応し得る。さらに、いくつかの態様では、いくつかの同期信号ブロックは、RRCレイヤにおいて構成され得る。
【００５２】
ブロック404において、方法400は、非スケジューリングデータが送信のためにスケジュールされているいくつかの同期信号ブロックを形成する1つまたは複数のリソース要素を決定し得る。たとえば、UE110は、いくつかの同期信号ブロック176またはいくつかの同期信号ブロック176の各々の位置のうちの少なくとも1つを示す指示174を受信したことに応答して、非スケジューリングデータが送信のためにスケジュールされているいくつかの同期信号ブロック176を形成する1つまたは複数のリソース要素を決定するために、リソース識別構成要素150を実行し得る。
【００５３】
ブロック406において、方法400は、いくつかの同期信号ブロックを形成する1つまたは複数のリソース要素内の非スケジューリングデータを受信し得る。たとえば、UE110は、いくつかの同期信号ブロック176を形成する1つまたは複数のリソース要素内の非スケジューリングデータを受信するために、トランシーバ502を実行し得る。
【００５４】
図5を参照すると、UE110の実装形態の一例は、様々な構成要素を含むことができ、そのうちのいくつかについてはすでに上記で説明したが、1つまたは複数のバス544を介して通信している、1つまたは複数のプロセッサ512、メモリ516、およびトランシーバ502などの構成要素を含み、これらの構成要素は、非スケジューリングデータが送信のためにスケジュールされているいくつかの同期信号ブロック176を形成する1つまたは複数のリソース要素を決定することに関連する本明細書で説明する機能のうちの1つまたは複数を可能にするために、モデム140およびリソース識別構成要素150と連携して動作し得る。さらに、1つまたは複数のプロセッサ512、モデム140、メモリ516、トランシーバ502、無線周波数(RF)フロントエンド588、および1つまたは複数のアンテナ565は、1つまたは複数の無線アクセス技術において音声呼および/またはデータ呼を(同時にまたは非同時に)サポートするように構成され得る。いくつかの態様では、モデム140は、モデム140と同じまたは同様であってもよい。
【００５５】
一態様では、1つまたは複数のプロセッサ512は、1つまたは複数のモデムプロセッサを使用するモデム140を含むことができる。リソース識別構成要素150に関連する様々な機能は、モデム140および/またはプロセッサ512に含まれてもよく、一態様では、単一のプロセッサによって実行されてもよく、他の態様では、機能のうちの異なる機能が2つ以上の異なるプロセッサの組合せによって実行されてもよい。たとえば、一態様では、1つまたは複数のプロセッサ512は、モデムプロセッサ、またはベースバンドプロセッサ、またはデジタル信号プロセッサ、または送信機プロセッサ、または受信機プロセッサ、またはトランシーバ502に関連付けられたトランシーバプロセッサのうちの任意の1つまたは任意の組合せを含み得る。他の態様では、リソース識別構成要素150に関連付けられた1つまたは複数のプロセッサ512および/またはモデム140の特徴のうちのいくつかは、トランシーバ502によって実行され得る。
【００５６】
また、メモリ516は、本明細書で使用するデータおよび/またはアプリケーション575のローカルバージョン、あるいはリソース識別構成要素150および/または少なくとも1つのプロセッサ512によって実行されるそのサブ構成要素のうちの1つもしくは複数を記憶するように構成され得る。メモリ516は、ランダムアクセスメモリ(RAM)、読取り専用メモリ(ROM)、テープ、磁気ディスク、光ディスク、揮発性メモリ、不揮発性メモリ、およびそれらの任意の組合せなどの、コンピュータまたは少なくとも1つのプロセッサ512によって使用可能な任意のタイプのコンピュータ可読媒体を含むことができる。一態様では、たとえば、メモリ516は、UE110がリソース識別構成要素150および/またはそのサブ構成要素のうちの1つもしくは複数を実行するために少なくとも1つのプロセッサ512を動作させているとき、リソース識別構成要素150および/またはそのサブ構成要素のうちの1つもしくは複数を定義する1つまたは複数のコンピュータ実行可能コード、ならびに/あるいはそれに関連付けられたデータを記憶する非一時的コンピュータ可読記憶媒体であり得る。
【００５７】
トランシーバ502は、少なくとも1つの受信機506および少なくとも1つの送信機508を含み得る。受信機506は、データを受信するためにプロセッサによって実行可能なハードウェア、ファームウェア、および/またはソフトウェアコードを含むことができ、コードは命令を備え、メモリ(たとえば、コンピュータ可読媒体)に記憶される。受信機506は、たとえば、RF受信機であり得る。一態様では、受信機506は、少なくとも1つの基地局105によって送信された信号を受信し得る。加えて、受信機506は、そのような受信信号を処理することができ、限定はしないが、Ec/Io、SNR、RSRP、RSSIなどの、信号の測定値を取得することもできる。送信機508は、データを送信するためにプロセッサによって実行可能なハードウェア、ファームウェア、および/またはソフトウェアコードを含むことができ、コードは命令を備え、メモリ(たとえば、コンピュータ可読媒体)に記憶される。送信機508の適切な例は、限定はしないが、RF送信機を含み得る。
【００５８】
さらに、一態様では、UE110は、1つまたは複数のアンテナ565と通信して動作し得るRFフロントエンド588と、無線送信、たとえば、少なくとも1つの基地局105によって送信されたワイヤレス通信またはUE110によって送信されたワイヤレス送信を受信および送信するためのトランシーバ502とを含み得る。RFフロントエンド588は、1つまたは複数のアンテナ565に接続されてもよく、RF信号を送信および受信するために、1つまたは複数の低雑音増幅器(LNA)590と、1つまたは複数のスイッチ592と、1つまたは複数の電力増幅器(PA)598と、1つまたは複数のフィルタ596とを含むことができる。
【００５９】
一態様では、LNA590は、所望の出力レベルで受信信号を増幅することができる。一態様では、各LNA590は、指定された最小および最大の利得値を有することができる。一態様では、RFフロントエンド588は、特定のアプリケーションの所望の利得値に基づいて、特定のLNA590およびその指定された利得値を選択するために、1つまたは複数のスイッチ592を使用することができる。
【００６０】
さらに、たとえば、1つまたは複数のPA598は、RF出力の信号を所望の出力電力レベルで増幅するために、RFフロントエンド588によって使用され得る。一態様では、各PA598は、指定された最小および最大の利得値を有することができる。一態様では、RFフロントエンド588は、特定のアプリケーションの所望の利得値に基づいて、特定のPA598および対応する指定された利得値を選択するために、1つまたは複数のスイッチ592を使用することができる。
【００６１】
また、たとえば、1つまたは複数のフィルタ596は、受信信号をフィルタリングして入力RF信号を取得するために、RFフロントエンド588によって使用され得る。同様に、一態様では、たとえば、それぞれのフィルタ596は、それぞれのPA598からの出力をフィルタリングして送信用の出力信号を生成するために使用され得る。一態様では、各フィルタ596は、特定のLNA590および/またはPA598に接続され得る。一態様では、RFフロントエンド588は、トランシーバ502および/またはプロセッサ512によって指定された構成に基づいて、指定されたフィルタ596、LNA590、および/またはPA598を使用して送信経路または受信経路を選択するために、1つまたは複数のスイッチ592を使用することができる。
【００６２】
したがって、トランシーバ502は、RFフロントエンド588を介して1つまたは複数のアンテナ565を通じてワイヤレス信号を送信および受信するように構成され得る。一態様では、UE110が、たとえば、1つもしくは複数の基地局105、または1つもしくは複数の基地局105に関連付けられた1つもしくは複数のセルと通信することができるように、トランシーバは、指定された周波数で動作するように同調され得る。一態様では、たとえば、モデム140は、UE110のUE構成およびモデム140によって使用される通信プロトコルに基づいて、指定された周波数および電力レベルで動作するようにトランシーバ502を構成することができる。
【００６３】
一態様では、モデム140は、デジタルデータがトランシーバ502を使用して送られ受信されるように、デジタルデータを処理し、トランシーバ502と通信することができる、マルチバンドマルチモードモデムとすることができる。一態様では、モデム140は、マルチバンドとすることができ、特定の通信プロトコルに対して複数の周波数帯域をサポートするように構成され得る。一態様では、モデム140は、マルチモードとすることができ、複数の動作ネットワークおよび通信プロトコルをサポートするように構成され得る。一態様では、モデム140は、指定されたモデム構成に基づいてネットワークからの信号の送信および/または受信を可能にするために、UE110の1つまたは複数の構成要素(たとえば、RFフロントエンド588、トランシーバ502)を制御することができる。一態様では、モデム構成は、モデムのモードおよび使用中の周波数帯域に基づき得る。別の態様では、モデム構成は、セル選択および/またはセル再選択中にネットワークによって提供される、UE110に関連付けられたUE構成情報に基づき得る。
【００６４】
図6を参照すると、基地局105の実装形態の一例は、様々な構成要素を含むことができ、そのうちのいくつかについてはすでに上記で説明したが、1つまたは複数のバス644を介して通信している、1つまたは複数のプロセッサ612、メモリ616、およびトランシーバ602などの構成要素を含み、これらの構成要素は、たとえば、いくつかの同期信号ブロック176を示す指示174を送信することによって、ニューラジオ環境における同期信号ブロック送信に対してダウンリンクチャネル上でレートマッチングすることに関連する本明細書で説明する機能のうちの1つまたは複数を可能にするために、モデム160およびリソーススケジューラ172を含む指示送信構成要素170と連携して動作し得る。
【００６５】
トランシーバ602、受信機606、送信機608、1つまたは複数のプロセッサ612、メモリ616、アプリケーション675、バス644、RFフロントエンド688、LNA690、スイッチ692、フィルタ696、PA698、および1つまたは複数のアンテナ665は、上記で説明したように、UE110の対応する構成要素と同じまたは同様であってもよいが、UE動作に対立するものとして基地局動作のために構成されるか、または他の方法でプログラムされることがある。
【００６６】
添付の図面に関して上記に記載した上記の詳細な説明は、例について説明しており、実装され得るかまたは特許請求の範囲内に入る唯一の例を表すものではない。「例」という用語は、本明細書で使用されるとき、「例、事例、または例示として働く」ことを意味し、「好ましい」または「他の例よりも有利な」を意味しない。詳細な説明は、説明する技法の理解を与える目的で、具体的な詳細を含む。しかしながら、これらの技法は、これらの具体的な詳細なしに実践され得る。いくつかの事例では、説明する例の概念を不明瞭にすることを回避するために、よく知られている構造および装置はブロック図の形態で示される。
【００６７】
情報および信号は、様々な異なる技術および技法のいずれかを使用して表され得る。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、コンピュータ可読媒体上に記憶されたコンピュータ実行可能コードもしくは命令、またはそれらの任意の組合せによって表され得る。
【００６８】
本明細書の本開示に関して説明する様々な例示的なブロックおよび構成要素は、限定はしないが、プロセッサ、デジタル信号プロセッサ(DSP)、ASIC、FPGAもしくは他のプログラマブル論理デバイス、個別ゲートもしくはトランジスタ論理、個別ハードウェア構成要素、または本明細書で説明する機能を実行するように設計されたそれらの任意の組合せなどの、特別にプログラムされたデバイスを用いて実装または実行され得る。特別にプログラムされたプロセッサは、マイクロプロセッサであってもよいが、代替として、プロセッサは、任意の従来のプロセッサ、コントローラ、マイクロコントローラ、または状態機械であってもよい。特別にプログラムされたプロセッサはまた、コンピューティングデバイスの組合せ、たとえば、DSPとマイクロプロセッサの組合せ、複数のマイクロプロセッサ、DSPコアと連携する1つもしくは複数のマイクロプロセッサ、または任意の他のそのような構成として実装され得る。
【００６９】
本明細書で説明する機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとして非一時的コンピュータ可読媒体上に記憶されるか、または非一時的コンピュータ可読媒体を介して送信され得る。他の例および実装形態は、本開示および特許請求の範囲の範囲および趣旨内にある。たとえば、ソフトウェアの性質に起因して、上記で説明した機能は、特別にプログラムされたプロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。また、特許請求の範囲を含めて本明細書で使用する場合、「のうちの少なくとも1つ」で終わる項目のリストにおいて使用される「または」は、たとえば、「A、B、またはCのうちの少なくとも1つ」のリストがAまたはBまたはCまたはABまたはACまたはBCまたはABC(すなわち、AおよびBおよびC)を意味するような選言的リストを示す。
【００７０】
コンピュータ可読媒体は、コンピュータ記憶媒体と、ある場所から別の場所へのコンピュータプログラムの転送を容易にする任意の媒体を含む通信媒体の両方を含む。記憶媒体は、汎用コンピュータまたは専用コンピュータによってアクセスされ得る任意の利用可能な媒体であり得る。限定ではなく例として、コンピュータ可読媒体は、RAM、ROM、EEPROM、CD-ROMもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用コンピュータもしくは専用コンピュータまたは汎用プロセッサもしくは専用プロセッサによってアクセスされ得る任意の他の媒体を備えることができる。また、いかなる接続も、コンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザーディスク(登録商標)(disc)、光ディスク(disc)、デジタル多用途ディスク(disc)(DVD)、フロッピー(登録商標)ディスク(disk)およびブルーレイディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【００７１】
本開示の前述の説明は、当業者が本開示を作成または使用することができるように与えられる。本開示の様々な修正は、当業者に容易に明らかになり、本明細書で定義する一般原理は、本開示の趣旨または範囲から逸脱することなく、他の変形形態に適用され得る。さらに、説明する態様および/または実施形態の要素は単数形で説明または特許請求されている場合があるが、単数形への限定が明示的に記載されていない限り、複数形が企図される。加えて、任意の態様および/または実施形態の全部または一部分は、別段に記載されていない限り、任意の他の態様および/または実施形態の全部または一部分とともに利用され得る。したがって、本開示は、本明細書で説明する例および設計に限定されるべきではなく、本明細書で開示する原理および新規の特徴と一致する最も広い範囲を与えられるべきである。
【符号の説明】
【００７２】
100  ワイヤレス通信ネットワーク
105  基地局
110  UE
135  ワイヤレス通信リンク
140  モデム
150  リソース識別構成要素
160  モデム
170  指示送信構成要素
172  リソーススケジューラ
174  指示
176  同期信号ブロック
200  概念図
202  同期信号ブロック
204  物理ブロードキャストチャネル(PBCH)情報、PBCH情報、PBCH
206  1次同期信号(PSS)、PSS
208  2次同期信号(SSS)、SSS
210  物理ブロードキャストチャネル(PBCH)情報、PBCH情報、PBCH
212  シンボル長
300  方法
400  方法
502  トランシーバ
506  受信機
508  送信機
512  プロセッサ
516  メモリ
544  バス
565  アンテナ
588  無線周波数(RF)フロントエンド、RFフロントエンド
602  トランシーバ
606  受信機
608  送信機
612  プロセッサ
616  メモリ
644  バス
675  アプリケーション
688  RFフロントエンド
690  LNA
692  スイッチ
696  フィルタ
698  PA
665  アンテナ
【図１】
2020503806.tif 000003
【図２】
2020503806.tif 000004
【図３】
2020503806.tif 000005
【図４】
2020503806.tif 000006
【図５】
2020503806.tif 000007
【図６】
2020503806.tif 000008
【国際調査報告】
2020503806.tif 000009
2020503806.tif 000010
2020503806.tif 000011
2020503806.tif 000012
2020503806.tif 000013
2020503806.tif 000014